(57)【要約】【課題】無鳴動着信機能を実現可能に維持するとともに、消費電力を低減させる。【解決手段】公衆回線３０に接続され、ファクシミリ機能を備えた通信端末において、通信端末に接続した外付け電話２０を公衆回線３０から切断する切断状態と、外付け電話２０を公衆回線３０に接続する接続状態とを切替えるメカニカルリレー１４と、公衆回線３０からの信号が極性反転したか否かを検出する極性反転検出回路１７と、公衆回線３０からのリンギングに対して外付け電話２０を鳴動させないで着信させる無鳴動着信機能が設定され、かつ公衆回線３０からの信号が極性反転した旨を検出した場合、接続状態から切断状態に切替えるようにメカニカルリレー１４を制御する回線制御部１１と、を備える。【選択図】図１
2013225840.tif 000002
【特許請求の範囲】
【請求項１】
公衆回線に接続され、ファクシミリ機能を備えた通信端末において、
前記通信端末に接続した外付け電話を前記公衆回線から切断する切断状態と、前記外付け電話を前記公衆回線に接続する接続状態とを切替える切替手段と、
前記公衆回線からの信号が極性反転したか否かを検出する極性反転検出手段と、
前記公衆回線からのリンギングに対して前記外付け電話を鳴動させないで着信させる無鳴動着信機能が設定され、かつ前記極性反転検出手段によって前記公衆回線からの信号が極性反転した旨が検出された場合、前記接続状態から前記切断状態に切替えるように前記切替手段を制御する回線制御手段と、
を備えることを特徴とする通信端末。
【請求項２】
前記回線制御手段は、前記公衆回線からの信号が極性反転した旨を検出した場合であっても、前記外付け電話が着呼されていた場合は、前記切替手段を前記切断状態にしないことを特徴とする請求項１に記載の通信端末。
【請求項３】
前記公衆回線からの信号は、前記公衆回線からのリンギングが発生していない場合は正極となり、前記公衆回線からのリンギングが発生した場合は負極となる第１信号と、前記公衆回線からのリンギングが発生していない場合は負極となり、前記公衆回線からのリンギングが発生した場合は正極となる第２信号と、を含み、
前記極性反転検出手段は、
前記第１信号を入力する第１端子と、
前記第２信号を入力する第２端子と、
前記第２端子に接続されて、前記第１信号が正極である場合に前記第１信号による電流を充電し、前記第１信号が負極となった場合に放電するコンデンサと、
前記第１信号が正極である場合はオフ状態となり、前記第１信号が正極から負極に切替わったことにより前記コンデンサから放電された電流によってオン状態となるスイッチング素子と、
前記スイッチング素子がオフ状態である場合に、極性反転していない旨を示すハイレベルの極性反転検出信号を前記回線制御手段に出力し、前記スイッチング素子がオン状態である場合に、極性反転した旨を示すローレベルの極性反転検出信号を前記回線制御手段に出力する電源と、を備えたことを特徴とする請求項１または２に記載の通信端末。
【請求項４】
前記スイッチング素子は、
前記コンデンサと前記第１端子とに接続され、前記第１信号が負極となったことにより前記コンデンサから放電された電流を前記第１端子に通過させて通電される一方、前記第１信号が正極である場合における前記第１端子から前記コンデンサへ向かう電流を遮断して非通電となる発光素子と、
接地されるとともに、前記発光素子が非通電の場合にはオフ状態であり、前記発光素子が通電された場合にオン状態に切り替わる受光素子と、を含むことを特徴とする請求項３に記載の通信端末。
【請求項５】
前記公衆回線からのリンギングが発生していない際に前記無鳴動着信機能のオンまたはオフを利用者に設定させる設定手段をさらに備えることを特徴とする請求項１〜４のいずれか一つに記載の通信端末。
【請求項６】
公衆回線に接続され、ファクシミリ機能を備えた画像形成装置において、
前記画像形成装置に接続した外付け電話を前記公衆回線から切断する切断状態と、前記外付け電話を前記公衆回線に接続する接続状態とを切替える切替手段と、
前記公衆回線からの信号が極性反転したか否かを検出する極性反転検出手段と、
前記公衆回線からのリンギングに対して前記外付け電話を鳴動させないで着信させる無鳴動着信機能が設定され、かつ前記極性反転検出手段によって前記公衆回線からの信号が極性反転した旨が検出された場合、前記接続状態から前記切断状態に切替えるように前記切替手段を制御する回線制御手段と、
を備えることを特徴とする画像形成装置。
【請求項７】
公衆回線に接続され、ファクシミリ機能を備えた通信端末で実行される通信制御方法において、
前記通信端末は、
前記通信端末に接続した外付け電話を前記公衆回線から切断する切断状態と、前記外付け電話を前記公衆回線に接続する接続状態とを切替える切替手段と、
前記公衆回線からの信号が極性反転したか否かを検出する極性反転検出手段と、を備え、
前記公衆回線からのリンギングに対して前記外付け電話を鳴動させないで着信させる無鳴動着信機能が設定され、かつ前記極性反転検出手段によって前記公衆回線からの信号が極性反転した旨が検出された場合、前記接続状態から前記切断状態に切替えるように前記切替手段を制御する回線制御ステップを含むことを特徴とする通信制御方法。
【発明の詳細な説明】
【技術分野】
【０００１】
本発明は、通信端末、画像形成装置および通信制御方法に関する。
【背景技術】
【０００２】
従来から、ファクシミリ（ＦＡＸ）には「無鳴動着信」という機能が備えられており、通常時はメカニカルリレーなどによりＦＡＸに付属した外付け電話を公衆回線から切断しておき、公衆回線から呼び出し信号があった場合は、外付け電話を鳴らさせずにまずＦＡＸモデムが着呼し、呼び出し要因が外付け電話の場合は外付け電話を鳴動させる技術が一般的に知られている。
【０００３】
例えば、無鳴動着信が要請される際に電話機で不当なベル鳴動がなされることを解消させるファクシミリ装置が開示されている（特許文献１参照）。このファクシミリ装置では、メカニカルリレーを利用して外付け電話を公衆回線から切断する方法が開示されている。
【発明の概要】
【発明が解決しようとする課題】
【０００４】
しかしながら、上述した特許文献１に記載の技術では、通常時に外付け電話を公衆回線から切断しておくためにメカニカルリレーを常にオンにしておく必要があるが、メカニカルリレーを常時オンしておくと電力を大幅に消費してしまうという問題があった。
【０００５】
本発明は、上記に鑑みてなされたものであって、無鳴動着信機能を実現可能に維持するとともに、消費電力を低減させる通信端末、画像形成装置および通信制御方法を提供することを目的とする。
【課題を解決するための手段】
【０００６】
上述した課題を解決し、目的を達成するために、本発明は、公衆回線に接続され、ファクシミリ機能を備えた通信端末において、前記通信端末に接続した外付け電話を前記公衆回線から切断する切断状態と、前記外付け電話を前記公衆回線に接続する接続状態とを切替える切替手段と、前記公衆回線からの信号が極性反転したか否かを検出する極性反転検出手段と、前記公衆回線からのリンギングに対して前記外付け電話を鳴動させないで着信させる無鳴動着信機能が設定され、かつ前記極性反転検出手段によって前記公衆回線からの信号が極性反転した旨が検出された場合、前記接続状態から前記切断状態に切替えるように前記切替手段を制御する回線制御手段と、を備えることを特徴とする。
【０００７】
また、本発明は、公衆回線に接続され、ファクシミリ機能を備えた画像形成装置において、前記通信端末に接続した外付け電話を前記公衆回線から切断する切断状態と、前記外付け電話を前記公衆回線に接続する接続状態とを切替える切替手段と、前記公衆回線からの信号が極性反転したか否かを検出する極性反転検出手段と、前記公衆回線からのリンギングに対して前記外付け電話を鳴動させないで着信させる無鳴動着信機能が設定され、かつ前記極性反転検出手段によって前記公衆回線からの信号が極性反転した旨が検出された場合、前記接続状態から前記切断状態に切替えるように前記切替手段を制御する回線制御手段と、を備えることを特徴とする。
【０００８】
また、本発明は、公衆回線に接続され、ファクシミリ機能を備えた通信端末で実行される通信制御方法において、前記通信端末は、前記通信端末に接続した外付け電話を前記公衆回線から切断する切断状態と、前記外付け電話を前記公衆回線に接続する接続状態とを切替える切替手段と、前記公衆回線からの信号が極性反転したか否かを検出する極性反転検出手段と、を備え、前記公衆回線からのリンギングに対して前記外付け電話を鳴動させないで着信させる無鳴動着信機能が設定され、かつ前記極性反転検出手段によって前記公衆回線からの信号が極性反転した旨が検出された場合、前記接続状態から前記切断状態に切替えるように前記切替手段を制御する回線制御ステップを含むことを特徴とする。
【発明の効果】
【０００９】
本発明によれば、無鳴動着信機能を実現可能に維持するとともに、消費電力を低減させることができるという効果を奏する。
【図面の簡単な説明】
【００１０】
【図１】図１は、実施形態１にかかる通信端末におけるＦＡＸコントローラボードの構成を示すブロック図である。
【図２】図２は、公衆回線の状態と極性の状態との関係を示した図である。
【図３】図３は、ＦＡＸコントローラボードと交換機とのＦＡＸ通信前までのプロトコルを示すシーケンス図である。
【図４】図４は、実施形態１にかかる通信端末のＦＡＸコントローラボードによる通信制御方法の流れを示すフローチャートである。
【図５】図５は、実施形態２にかかる通信端末におけるＦＡＸコントローラボードの構成を示すブロック図である。
【図６】図６は、実施形態２にかかる通信端末のＦＡＸコントローラボードによる通信制御方法の流れを示すフローチャートである。
【発明を実施するための形態】
【００１１】
以下に添付図面を参照して、通信端末、画像形成装置および通信制御方法の実施形態を詳細に説明する。
【００１２】
（実施形態１）
まず、実施形態１にかかる通信端末および通信制御方法について、図面を参照して詳細に説明する。図１は、実施形態１にかかる通信端末におけるＦＡＸコントローラボードの構成を示すブロック図である。実施形態１にかかる通信端末はファクシミリ機能を備える。図１に示す通信端末のＦＡＸコントローラボード１０は、公衆回線３０に接続されている。公衆回線３０には、一般電話回線やＩＳＤＮ回線やインターネット回線や光回線（光電話回線や光インターネット回線等）などが含まれ得る。また、ＦＡＸコントローラボード１０は、利用者が電話する際に利用する外付け電話２０が接続されている。
【００１３】
図１に示すように、ＦＡＸコントローラボード１０は、メカニカルリレー１４と、極性反転検出回路１７と、回線制御部１１と、外付け電話鳴動回路１２とを主に備えている。このＦＡＸコントローラボード１０は、不図示のスキャナ、プロッタ、画像処理部、符号化／復号化部、変調／復調部等に接続されていてもよいし、これらを備えていてもよい。また、実施形態１にかかる通信端末のファクシミリ機能には、無鳴動着信機能が備えられている。ここで、「無鳴動着信機能」とは、公衆回線３０からのリンギング（呼び出し信号）があった場合は、外付け電話２０を鳴動させずにまずＦＡＸモデムを着呼させ、リンギングの要因（呼び出し要因）がファクシミリである場合は、外付け電話２０を鳴動させないで着信させる機能である。なお、リンギングの要因が外付け電話２０である場合は外付け電話２０を鳴動させることになる。
【００１４】
この無鳴動着信機能のオン／オフは、利用者が設定可能であるように構成されるとよい。たとえば、ＦＡＸコントローラボード１０に設けられたタッチパネル式のディスプレイ（不図示）に無鳴動着信機能のオン／オフの切換え設定を入力させる画面を表示し、これに対する利用者からの入力に応じて無鳴動着信機能のオン／オフを設定する設定手段が設けられてもよい。また、この設定手段は、公衆回線３０からのリンギングが発生していない状態でのみ、上記入力を許可するように構成されてもよい。
【００１５】
メカニカルリレー１４は、接点のスイッチが「オン」側に接続すると、ＦＡＸコントローラボード１０に外付けで接続した外付け電話２０を公衆回線３０から切断する切断状態となる。また、メカニカルリレー１４は、接点のスイッチが「オフ」側に接続すると、ＦＡＸコントローラボード１０に接続した外付け電話２０を公衆回線３０に接続する接続状態となる。すなわち、メカニカルリレー１４は、切断状態と接続状態とを切替えるものである。なお、メカニカルリレー１４をオフ（リレーオフ）に接続した接続状態を維持する消費電力は、メカニカルリレー１４をオン（リレーオン）に接続した切断状態を維持する消費電力より低くなる。
【００１６】
極性反転検出回路１７は、公衆回線３０から受信するＬ１、Ｌ２信号により、公衆回線３０からの信号が極性反転したか否かを検出するものである。すなわち、実施形態１における極性反転検出回路１７は、Ｌ１、Ｌ２信号がそれぞれ（＋）信号（正極の信号）か（−）信号（負極の信号）かを検出することによって、公衆回線３０からの信号が極性反転したか否かを検出している。また、端子１８ａ（第１端子）がＬ１信号（第１信号）を入力し、端子１８ｂ（第２端子）がＬ２信号（第２信号）を入力することで、公衆回線３０からのＬ１、Ｌ２信号を受信する。
【００１７】
実施形態１における極性反転検出回路１７は、フォトカプラ１７ａ、１７ｂを備えている。そして、フォトカプラ１７ａ、１７ｂによって公衆回線３０からの信号が極性反転した旨を検出すると、極性反転検出回路１７は、極性反転検出信号１、２を送信することで公衆回線３０が極性反転した旨を回線制御部１１に伝える。
【００１８】
具体的には、フォトカプラ１７ａ、１７ｂは、発光ダイオードなどの発光素子とフォトトランジスタなどの受光素子（受光トランジスタ）を備えている。発光ダイオードに一定値以上の電流が流れると、受光素子（受光トランジスタ）はオンにされる。例えば、フォトカプラ１７ａの場合、フォトカプラ１７ａに電流が流れていない時（非通電の場合は、受光トランジスタがオフであるため、極性反転検出信号１はＶｃｃ電源によりハイレベル（Ｈｉｇｈ状態）になる。一方、フォトカプラ１７ａに電流が流れる時（通電された場合）は、受光トランジスタがオンに切り替わり、極性反転検出信号１はグランド（ＧＮＤ）直結になるため接地され、ローレベル（Ｌｏｗ状態）になる。同様に、フォトカプラ１７ｂの場合も、電流が流れていない時は、極性反転検出信号２はＶｃｃ電源によりハイレベルになる。一方、フォトカプラ１７ｂに電流が流れる時は、極性反転検出信号２は接地され、ローレベルになる。
【００１９】
ここで、公衆回線３０の状態と極性の状態との関係を説明する。図２は、公衆回線の状態と極性の状態との関係を示した図である。図２では、端末（通信端末）の状態と、網の動作と、回線（公衆回線３０）の状態とが対応付けられている。
【００２０】
図２に示すように、着信側を呼び出すと信号の極性が反転し（Ａ欄参照）、着信側が呼び出された後に着信側が応答すると、信号は復極して元の極性に戻ってしまう（Ｂ欄参照）。そのためメカニカルリレー１４をリレーオンにするのは、自身が着呼していないときのみ（応答する前）であり、着信した後に極性反転が起きてもメカニカルリレー１４のリレー制御（リレーオンまたはリレーオフに切替える制御）は行わない。
【００２１】
図２における空き状態のとき（リンギングが発生していないとき）、Ｌ１信号は（＋）信号、Ｌ２信号は（−）信号になっている。しかし、フォトカプラ１７ａと端子１８ｂとの間にコンデンサが入って接続されているため、フォトカプラ１７ａの発光ダイオードには電流が流れない。つまり、フォトカプラ１７ａの発光ダイオードが端子１８ａからコンデンサへ向かう電流を遮断して、発光ダイオードは非通電となる。また、この状態では、コンデンサは、フォトカプラ１７ａ側が＋極に、Ｌ２信号側が−極になっており、Ｌ１信号による電流を充電する。
【００２２】
この状態で図２における着信側呼出中になると（リンギングが発生すると）、Ｌ２信号は（＋）信号、Ｌ１信号は（−）信号になり、Ｌ１信号の電位が（＋）から（−）になるため、＋極だったコンデンサから電荷の放電が始まる。そして、コンデンサから、コンデンサと端子１８ａとに接続されたフォトカプラ１７ａを通過し、端子１８ａに向かって電流が流れる。よって、フォトカプラ１７ａの発光ダイオードに電流が流れる場合（通電された場合）、受光素子がオンにされるため、極性反転検出信号１は、公衆回線３０からの信号が極性反転した旨を示すローレベルになり、回線制御部１１は極性反転が起きたことを認識する。なお、フォトカプラ１７ａの発光ダイオードに電流が流れていない場合（非通電の場合）は、極性反転検出信号１は、公衆回線３０からの信号が極性反転していない旨を示すハイレベルになる。
【００２３】
なお、公衆回線３０とＦＡＸコントローラボード１０の接続の仕方により、空き状態のときにＬ１信号が（＋）になるか、Ｌ２信号が（＋）になるかその状態が違うため、（必ずしも公衆回線３０のＬ１信号がＦＡＸコントローラボード１０のＬ１信号に接続されるとは限らず、Ｌ２信号に付くこともあり得る。）フォトカプラを２つ（１７ａ、１７ｂ）備えて対応している。
【００２４】
なお、後述の回線制御部１１が回線間のオフセット電圧を常にポーリングすることで、公衆回線３０の極性の状態を把握することもできるが、そのような構成にすると回線制御部１１の消費電力が増えてしまう。従って、実施形態１では、極性反転検出回路１７としてフォトカプラを２個設けて公衆回線３０からの信号が極性反転したか否かを検出することで、さらに省エネルギー効果を向上させた回路になっている。
【００２５】
回線制御部１１は、通信端末のファクシミリ機能において無鳴動着信機能が設定されている場合に、極性反転検出回路１７により公衆回線３０からの信号が極性反転した旨を検出した場合、リレー制御信号を送信することによってリレーオフからリレーオンに切替えるようにメカニカルリレー１４を制御する。また、回線制御部１１は、極性反転検出回路１７により公衆回線３０からの信号が極性反転した旨を検出したときに外付け電話２０が着呼されていた場合は、メカニカルリレー１４をリレーオフからリレーオンに切替える制御は行わず、リレーオフにしたままに制御する。
【００２６】
また、回線制御部１１は、通信端末のファクシミリ機能において無鳴動着信機能が設定されていない場合には、極性反転検出回路１７により公衆回線３０からの信号が極性反転した旨を検出した場合であっても、リレー制御信号によってメカニカルリレー１４をリレーオフからリレーオンに切替える制御は行わず、リレーオフにしたままに制御する。また、回線制御部１１は、一旦リンギングを着呼した後、公衆回線３０からのリンギングがＦＡＸ要因ではなく電話要因であった場合は、鳴動制御信号を送信することによって外付け電話鳴動回路１２にリンギングを発生させる。
【００２７】
外付け電話鳴動回路１２は、回線制御部１１からリンギングを発生させる旨を示す鳴動制御信号を受信した場合、リンギングを発生させ、外付け電話２０を鳴動させる。この鳴動により、利用者に電話があったことを認識させることができる。
【００２８】
ここで、従来のＦＡＸコントローラボードについて説明する。従来のＦＡＸコントローラボードは、メカニカルリレー、回線制御部、外付け電話鳴動回路を備えた構成となっているが、極性反転検出回路は備えられていない。
【００２９】
このような従来のＦＡＸコントローラボードにおいても回線制御部がリレー制御信号を利用してメカニカルリレーを制御している。そして、ＦＡＸコントローラボードの電源がオンになっている間は常にメカニカルリレーをリレーオンにして外付け電話を公衆回線から切り離しておくことで、公衆回線からリンギングがあっても外付け電話を鳴動させない構成となっていた。その後、一旦リンギングを着呼した後、該リンギングがＦＡＸ要因でなく電話要因であった場合、回線制御部は外付け電話鳴動回路を介してリンギングを発生させ、外付け電話を鳴動させていた。このような従来のＦＡＸコントローラボードの構成では、メカニカルリレーをリレーオンにしておくために５Ｖ換算で約６０ｍＡの電力を必要とするため、消費電力が増加してしまうという問題があった。
【００３０】
これに対し、実施形態１のＦＡＸコントローラボード１０では、上述したように、ＦＡＸコントローラボード１０の電源がオンになっていてもメカニカルリレー１４をリレーオフにしておき、極性反転が起きた場合にメカニカルリレー１４をリレーオンにするため、消費電力を抑制することができる。
【００３１】
次に、実施形態１にかかるＦＡＸコントローラボード１０と交換機とのＦＡＸ通信前までのプロトコルについて説明する。図３は、ＦＡＸコントローラボードと交換機とのＦＡＸ通信前までのプロトコルを示すシーケンス図である。
【００３２】
国内で仕様されているプロトコルでは、交換機からリンギング信号が来る約０．１秒前までに、公衆回線３０では極性反転が起きる。この極性反転が起きたことをＦＡＸコントローラボード１０は認識できる。
【００３３】
具体的には、図３に示すように、まず、ＦＡＸコントローラボード１０は、交換機からのＬ１、Ｌ２信号により極性反転した旨を検出し（ステップＳ１）、さらに約０．１秒後にリンギング信号を受信する（ステップＳ２）。従って、通信端末において無鳴動着信機能が設定されている場合、ＦＡＸコントローラボード１０では、Ｌ１、Ｌ２信号による極性反転を検出した後であってリンギング信号を受信する前に、メカニカルリレー１４をリレーオンにして外付け電話２０を公衆回線３０から切断し、外付け電話２０を鳴動させないで着信させる。そして、ＦＡＸコントローラボード１０が着呼し（ステップＳ３）、交換機からのＬ１、Ｌ２信号により極性復極した旨を検出する（ステップＳ４）。その後、ＦＡＸコントローラボード１０と交換機との間で通信が開始される。
【００３４】
次に、実施形態１にかかる通信端末のＦＡＸコントローラボード１０による通信制御方法について説明する。図４は、実施形態１にかかる通信端末のＦＡＸコントローラボードによる通信制御方法の流れを示すフローチャートである。
【００３５】
図３において示したとおり、国内仕様のプロトコルでは、リンギング信号が入ってくる前に極性反転が起きるため、ＦＡＸコントローラボード１０の回線制御部１１は、まず公衆回線３０からの信号の極性を監視する。すなわち、回線制御部１１は、公衆回線３０からの信号が極性反転したか否かを判断する（ステップＳ１０）。公衆回線３０からの信号が極性反転していない場合（ステップＳ１０；Ｎｏ）、極性反転するまで待機する。
【００３６】
一方、公衆回線３０からの信号が極性反転した場合（ステップＳ１０；Ｙｅｓ）、回線制御部１１は、通信端末において無鳴動着信機能が設定されているか否かを判断する（ステップＳ１１）。無鳴動着信機能が設定されていない場合（ステップＳ１１；Ｎｏ）、ステップＳ１３の処理へ進む。
【００３７】
一方、無鳴動着信機能が設定されている場合（ステップＳ１１；Ｙｅｓ）、回線制御部１１は、直ちにメカニカルリレー１４をリレーオンにして、公衆回線３０から外付け電話２０を切断する（ステップＳ１２）。
【００３８】
その後、リンギングが発生し（ステップＳ１３）、回線制御部１１は一旦リンギングを着呼すると、該リンギングが送信側からの電話要因か否かを判断する（ステップＳ１４）。具体的には、回線制御部１１は送信側からＦＡＸ識別信号であるＣＮＧ信号（０．５秒間の１,１００Ｈｚのトーン、その後３秒間の休止期間を置き、断続する信号）を受信したかどうかを判断する。リンギングが電話要因であった場合（ステップＳ１４；Ｙｅｓ）、回線制御部１１は、外付け電話鳴動回路１２を制御して、外付け電話２０を鳴動し呼出をさせる（ステップＳ１５）。
【００３９】
そして、回線制御部１１は、外付け電話２０がオフフックされたか否かを判断し（ステップＳ１６）、オフフックされるまで待機する（ステップＳ１６；Ｎｏ）。一方、外付け電話２０がオフフックされた場合（ステップＳ１６；Ｙｅｓ）、回線制御部１１は、メカニカルリレー１４をリレーオフにして（ステップＳ２４）、外付け電話２０を公衆回線３０に接続する。
【００４０】
ステップＳ１４に戻って、リンギングが電話要因でなかった場合、すなわちＦＡＸ要因であった場合（ステップＳ１４；Ｎｏ）、回線制御部１１は、ＦＡＸの送受信を行う（ステップＳ１８）。
【００４１】
そして、回線制御部１１は、ＦＡＸの送受信が終了したか否かを判断し（ステップＳ１９）、送受信が終了するまで待機する（ステップＳ１９；Ｎｏ）。一方、送受信が終了した場合（ステップＳ１９；Ｙｅｓ）、回線制御部１１は、メカニカルリレー１４をリレーオフにして（ステップＳ１７）、外付け電話２０を公衆回線３０に接続する。
【００４２】
このように、実施形態１のＦＡＸコントローラボード１０では、通常時は、メカニカルリレー１４をリレーオフにしておくことで外付け電話２０を公衆回線３０に接続しておき、公衆回線３０からリンギングを受信する前に公衆回線３０からの信号が極性反転した旨を検出した場合、直ちにメカニカルリレー１４をリレーオンにして、外付け電話２０を公衆回線３０から切断する。これにより、通信端末のファクシミリ機能において、無鳴動着信機能が設定されている場合に、無鳴動着信機能を実現可能に維持しつつ、消費電力を低減させることができる。
【００４３】
（実施形態２）
つぎに、実施形態２にかかる通信端末および通信制御方法について、図面を参照して詳細に説明する。なお、以下の説明において、実施形態１と同様の構成については、同一の符号を付し、その重複する説明を省略する。
【００４４】
図５は、実施形態２にかかる通信端末におけるＦＡＸコントローラボードの構成を示すブロック図である。図５と図１とを比較すると明らかなように、実施形態２にかかるＦＡＸコントローラボード１１０は、図１に示すＦＡＸコントローラボード１０と同様の構成において、外付け電話オフフック検出回路１９をさらに備える。
【００４５】
外付け電話オフフック検出回路１９は、フォトカプラ１９ａおよび１９ｂを備えている。フォトカプラ１９ａおよび１９ｂは、端子１８ａとメカニカルリレー１４における一方のオフ端子との間に接続される。ただし、フォトカプラ１９ｂにおける発光素子の接続方向は、フォトカプラ１９ａにおける発光素子の接続方向に対して逆向きである。外付け電話オフフック検出回路１９は、メカニカルリレー１４がオン状態、すなわち外付け電話２０が着呼された状態であるか否かを検出し、この検出結果を外付け電話フック検出信号３、４として回線制御部１１に入力する。回線制御部１１は、公衆回線３０からのＬ１、Ｌ２信号の極性が反転した場合であっても、外付け電話オフフック検出回路１９によって外付け電話２０が着呼されている場合には、メカニカルリレー１４をオフ状態にしない。
【００４６】
つぎに、実施形態２にかかる通信端末のＦＡＸコントローラボード１１０による通信制御方法について説明する。図６は、実施形態２にかかる通信端末のＦＡＸコントローラボードによる通信制御方法の流れを示すフローチャートである。なお、以下の説明において、図４に示すステップと同様のステップについて、同一の符号を付し、その重複する説明を省略する。
【００４７】
図６に示すように、回線制御部１１は、公衆回線３０からの信号が極性反転した場合（ステップＳ１０：Ｙｅｓ）、外付け電話オフフック検出回路１９から入力された外付け電話フック検出信号３、４に基づいて、外付け電話２０がオフフックであるか否かを判定する（ステップＳ２１）。外付け電話２０がオフフックである場合（ステップＳ２１；Ｙｅｓ）、回線制御部１１は、ステップＳ１３へ移行する。一方、外付け電話２０がオンフックである場合（ステップＳ２１；Ｎｏ）、ステップＳ１１へ移行し、無鳴動着信機能に設定されているか否かを判定する。無鳴動着信機能に設定されている場合（ステップＳ１１；Ｙｅｓ）、回線制御部１１は、直ちにメカニカルリレー１４をリレーオンにして、公衆回線３０から外付け電話２０を切断する（ステップＳ１２）。一方、無鳴動着信機能に設定されていない場合（ステップＳ１１；Ｎｏ）、回線制御部１１は、そのままステップＳ１３へ移行する。
【００４８】
その後、ステップＳ１３でリンギングが発生すると、回線制御部１１は、再度、外付け電話２０がオフフックであるか否かを判断し（ステップＳ２２）、オフフックである場合（ステップＳ２２；Ｙｅｓ）、ステップＳ２４へ移行する。一方、オンフックである場合（ステップＳ２２；Ｎｏ）、回線制御部１１は、不図示のＦＡＸモデムを着呼し（ステップＳ２３）、その後、一旦リンギングを着呼して、該リンギングが送信側からの電話要因か否かを判断する（ステップＳ１４）。リンギングが電話要因であった場合（ステップＳ１４；Ｙｅｓ）、回線制御部１１は、外付け電話鳴動回路１２を制御して、外付け電話２０を鳴動して呼出をさせ（ステップＳ１５）、その後、外付け電話２０がオフフックされたか否かを判断し（ステップＳ１６）、オフフックされるまで待機する（ステップＳ１６；Ｎｏ）。
【００４９】
一方、リンギングが電話要因でなかった場合、すなわちＦＡＸ要因であった場合（ステップＳ１４；Ｎｏ）、回線制御部１１は、ＦＡＸの送受信を行い（ステップＳ１８）、その後、ＦＡＸの送受信が終了したか否かを判断し（ステップＳ１９）、送受信が終了するまで待機する（ステップＳ１９；Ｎｏ）。その後、ＦＡＸの送受信が終了すると（ステップＳ１９；Ｙｅｓ）、回線制御部１１は、メカニカルリレー１４をリレーオフにして（ステップＳ２５）、外付け電話２０を公衆回線３０に接続する。
【００５０】
また、ステップＳ２２において外付け電話２０がオフフックである場合（ステップＳ２２；Ｙｅｓ）、または、ステップＳ１６において外付け電話２０がオフフックされた場合（ステップＳ１６；Ｙｅｓ）、回線制御部１１は、メカニカルリレー１４をリレーオフにして（ステップＳ２４）、外付け電話２０を公衆回線３０に接続する。
【００５１】
このように、実施形態２のＦＡＸコントローラボード１１０では、外付け電話２０がオンフックである場合（ステップＳ２２；Ｎｏ、Ｓ１６；Ｎｏ）には、外付け電話２０がオフフックとなるまで（ステップＳ２２；Ｙｅｓ、Ｓ１６；Ｙｅｓ）、メカニカルリレー１４をオフ状態としない。そのため、たとえば利用者が電話をかけるために受話器を持ち上げているにも係わらず、Ｌ１、Ｌ２信号の極性が反転することによってメカニカルリレー１４がオン状態に切り替わってしまい、公衆回線３０と外付け電話２０との接続が切断されてしまうという誤作動の発生を防止することができる。なお、その他の構成、動作および効果は、実施形態１と同様であるため、ここでは詳細な説明を省略する。
【００５２】
なお、上述の実施形態では、通信端末としてのＦＡＸコントローラボード１０または１１０を例に挙げて説明したが、本発明はこれに限定されるものではない。たとえば、上述の各実施形態にかかるＦＡＸコントローラボード１０または１１０を、デジタル複合機などのファクシミリ機能を備えた画像形成装置等に適用してもよい。
【符号の説明】
【００５３】
１、２  極性反転検出信号
３、４  外付け電話フック検出信号
１０、１１０  ＦＡＸコントローラボード
２０  外付け電話
３０  公衆回線
１１  回線制御部
１２  外付け電話鳴動回路
１４  メカニカルリレー
１７  極性反転検出回路
１７ａ、１７ｂ  フォトカプラ
１８ａ、１８ｂ  端子
１９  外付け電話オフフック検出回路
１９ａ、１９ｂ  フォトカプラ
【先行技術文献】
【特許文献】
【００５４】
【特許文献１】特開平７−２１２４９３号公報
【特許文献２】特開２００３−９２６４４号公報
【図１】
2013225840.tif 000003
【図２】
2013225840.tif 000004
【図３】
2013225840.tif 000005
【図４】
2013225840.tif 000006
【図５】
2013225840.tif 000007
【図６】
2013225840.tif 000008